(57)【要約】      （修正有）【課題】高い熱容量を有すると共に、ある程度の大きさを有するアイロンにおいて、携帯や収納等おいて優れたアイロンを提供する。【解決手段】アイロン本体１と、第１及び第２の把手部分２１，２２と、第１及び第２の把手部分からアイロン本体１の表面方向に伸びる第１ないし第４の支柱部３１〜３４と、第１ないし第４の支柱部３１〜３４をアイロン本体の表面以下で回動自在に支持する第１ないし第４の支持部と、第１ないし第４の支柱部３１〜３４に対応してアイロン本体の表面に設けられた第１ないし第４の溝部とからなり、アイロンの使用時は、アイロン本体１から起立するように配置されると共に、第１の把手部分２１と第２の把手部分２２が合体されて１つの把手を構成する態様と、アイロンの非使用時は、第１ないし第４の支柱部３１〜３４が第１ないし第４の溝部に埋没される態様と、からなることを特徴とするアイロンである。【選択図】図３
0003148422.tif 000002
【実用新案登録請求の範囲】
【請求項１】
アイロン本体と、該アイロン本体上面から空間を設けて配置された第１及び第２の把手部分と、前記第１の把手部分の両端付近からそれぞれ前記アイロン本体の表面方向に伸びる第１及び第２の支柱部と、前記第２の把手部分の両端付近からそれぞれ前記アイロン本体の表面方向に伸びる第３及び第４の支柱部と、前記第１ないし第４の支柱部の端部をそれぞれ前記アイロン本体の表面以下で回動自在に支持する第１ないし第４の支持部と、前記第１ないし第４の支柱部のそれぞれに対応して前記アイロン本体の表面に設けられた第１ないし第４の溝部とからなり、
アイロンの使用時は、前記第１ないし第４の支柱部が回動されて前記アイロン本体から起立するように配置されると共に、前記第１の把手部分と第２の把手部分が合体されて１つの把手を構成する態様と、アイロンの非使用時は、前記第１ないし第４の支柱部が回動されて、それぞれが前記第１ないし第４の溝部に埋没される態様と、からなることを特徴とするアイロン。
【考案の詳細な説明】
【技術分野】
【０００１】
本考案は、把手等が折り畳み可能に設けられたアイロンに関する。
【背景技術】
【０００２】
特許文献１には、携帯折り畳み式簡易アイロンについて記載されている。このアイロンは、取手、鋼板、止め金等で構成されており、ドライヤー等の熱風を前記鋼板に当てて、その熱により、衣類の皺を伸ばす携帯折り畳み式簡易アイロンであり、このアイロンは、取手と鋼板を止め金等で固定して、折り畳んでケースに収納できるように構成されている。
【０００３】
【特許文献１】特開平７−９６１００
【考案の開示】
【考案が解決しようとする課題】
【０００４】
特許文献１に記載の携帯折り畳み式簡易アイロンは、ドライヤー等の熱風を鋼板に当てて利用するため、発熱部が低出力の簡便なアイロンである。しかし、高出力の発熱部を構成するためには、電気エネルギーを供給して、所定の熱容量を持たせるためには、ある程度の大きさの形状を有しなければならい。
従来、高い熱容量を有し、ある程度の大きさ有するアイロンにおいて、アイロンの把手は、発熱部であるアイロン本体から発せられる熱の影響を受けないようにある程度離して設けなければならず、また、把手を支持する支柱は、把手にかかる力に耐えられるような強度と大きさ有しなければならない。
しかし、一般家庭用に用いられアイロンと較べて、携帯することが意図された上記のような構成を有するアイロンにおいては、体積上大きな割合を占める把手や把手を支持する支柱は、携帯のためにカバン内に収納する際には、嵩張って大変不都合である。  
【０００５】
本発明の目的は、上記の問題点に鑑みて成されたものであり、高い熱容量を有すると共に、ある程度の大きさを有するアイロンにおいて、携帯や収納性に優れたアイロンを提供することにある。
【課題を解決するための手段】
【０００６】
本考案は、上記の課題を解決するために、次のような手段を採用した。  第１の手段は、アイロン本体と、該アイロン本体上面から空間を設けて配置された第１及び第２の把手部分と、前記第１の把手部分の両端付近からそれぞれ前記アイロン本体の表面方向に伸びる第１及び第２の支柱部と、前記第２の把手部分の両端付近からそれぞれ前記アイロン本体の表面方向に伸びる第３及び第４の支柱部と、前記第１ないし第４の支柱部の端部をそれぞれ前記アイロン本体の表面以下で回動自在に支持する第１ないし第４の支持部と、前記第１ないし第４の支柱部のそれぞれに対応して前記アイロン本体の表面に設けられた第１ないし第４の溝部とからなり、アイロンの使用時は、前記第１ないし第４の支柱部が回動されて前記アイロン本体から起立するように配置されると共に、前記第１の把手部分と第２の把手部分が合体されて１つの把手を構成する態様と、アイロンの非使用時は、前記第１ないし第４の支柱部が回動されて、それぞれが前記第１ないし第４の溝部に埋没される態様と、からなることを特徴とするアイロンである。
【考案の効果】
【０００７】
本考案によれば、アイロンの使用時は、高い熱容量を有し、アイロンの把手は、発熱部であるアイロン本体から発せられる熱の影響を受けないようにある程度離して設けることができると共に、把手を支持する支柱は、把手にかかる力に耐えられるような強度と大きさを持たせることができる。また、アイロンの携帯時のような非使用時は、体積上大きな割合を占める把手や把手を支持する支柱はアイロン本体上の溝部に収納されるため、アイロンがコンパクトに形成され、カバン内に収納する際には、嵩張らず携帯等において極めて好都合である。
【考案を実施するための最良の形態】
【０００８】
本考案の実施形態を図１ないし図３を用いて説明する。
本実施形態のアイロンは、例えば、スキー等のワックスアイロンに適用され、図１は、本考案の一実施形態に係る、アイロンの使用時の態様に係るアイロンの構成を示す斜視図、図２は、アイロンの使用時から非使用時又は携帯時（以下、非使用時という）の態様、又はアイロンの非使用時から使用時の態様に至る過程におけるアイロンの構成を示す斜視図、図３は、アイロンの非使用時の態様に係るアイロンの構成を示す斜視図である。
【０００９】
これらの図において、１はアイロン本体、１１はアイロン本体１の上面に設けられた第１の溝部、１２はアイロン本体１の上面に設けられた第２の溝部、１３はアイロン本体１の上面に設けられた第３の溝部、１４はアイロン本体１の上面に設けられた第４の溝部、１５はアイロン本体の底面側に位置する金属板からなる発熱部、１６は温度調節部、２は把手、２１は、アイロン本体１上面から空間を設けて配置された第１の把手部分、２２は、アイロン本体１上面から空間を設けて配置された第２の把手部分、３１は、第１の把手部分２１の一方の端部付近からアイロン本体１の第１の溝部１１に伸びる第１の支柱部、３２は、第１の把手部分２１の他方の端部付近からアイロン本体１の第２の溝部１２に伸びる第２の支柱部、３３は、第２の把手部分２２の一方の端部付近からアイロン本体１の第３の溝部１３に伸びる第３の支柱部、３４は、第２の把手部分２２の他方の端部付近からアイロン本体１の第４の溝部１４に伸びる第４の支柱部、４は電力を供給する電源コードである。なお、第１ないし第４の支柱部３１〜３４の端部は、図示されていないが、第１ないし第４の支柱部３１〜３４にそれぞれ対応して設けられたアイロン本体１の表面以下に設けられた第１ないし第４の支持部において、アイロン本体１に対して回動自在に支持されている。
【００１０】
図１に示すように、アイロンの使用時の態様においては、第１ないし第４の支柱部３１〜３４が回動されてアイロン本体１から起立するように配置されると共に、第１の把手部分２１と第２の把手部分２２が合体されて１つの把手２が構成される。この状態において、使用者は把手２を把持して通常のアイロン操作を行うことができる。  
【００１１】
図２は、アイロンの使用時から非使用時、又はアイロンの非使用時から使用時に至る過程を示しており、例えば、アイロンの使用時から非使用時の態様にするためには、第１の把手部分２１と第２の把手部分２２とを手で押し開き、第１ないし第４の支柱部３１〜３４にそれぞれ対応して設けられたアイロン本体１の表面以下に設けられた、不図示の第１ないし第４の支持部において、アイロン本体１に対して回動させる。
【００１２】
図３に示すように、アイロンの非使用時の態様においては、例えば、アイロンの使用時から非使用時の態様にするためには、第１の把手部分２１と第２の把手部分２２とを手でより一層押し開いて、第１ないし第４の支柱部３１〜３４を回動して、第１ないし第４の支柱部３１〜３４のそれぞれを第１ないし第４の溝部１１〜１４に埋没させる。第１ないし第４の支柱部３１〜３４のそれぞれが第１ないし第４の溝部１１〜１４に埋没されることによって、第１並びに第２の把手部分２１、２２、及び第１ないし第４の支柱部３１〜３４は、アイロン本体１の厚み内に折り畳まれ、アイロンの嵩張りを解消して、アイロンをカバン等に入れて携帯すること等において極めて有用である。
【図面の簡単な説明】
【００１３】
【図１】本考案の一実施形態に係る、アイロンの使用時の態様に係るアイロンの構成を示す斜視図である。
【図２】本考案の一実施形態に係る、アイロンの使用時から非使用時の態様、又はアイロンの非使用時から使用時の態様に至る過程におけるアイロンの構成を示す斜視図である。
【図３】本考案の一実施形態に係る、アイロンの非使用時の態様に係るアイロンの構成を示す斜視図である。
【符号の説明】
【００１４】
１  アイロン本体
１１  第１の溝部
１２  第２の溝部
１３  第３の溝部
１４  第４の溝部
１５  発熱部
１６  温度調節部
２  把手
２１  第１の把手部分
２２  第２の把手部分
３１  第１の支柱部
３２  第２の支柱部
３３  第３の支柱部
３４  第４の支柱部
４  電源コード
【図１】
0003148422.tif 000003
【図２】
0003148422.tif 000004
【図３】
0003148422.tif 000005